(57)【特許請求の範囲】
【請求項１】
複数のコンテンツに基づく複数の表示オブジェクトの各々の態様を前記表示オブジェクトに係る前記コンテンツの視聴優先度に影響する視聴優先度情報に基づいて決定する決定部と、
複数の前記表示オブジェクトの各々を前記決定部により決定された態様でそれぞれ出力部に出力させる出力制御部と、
を備え、
前記態様は、前記表示オブジェクトに係る音の態様を含む、情報処理装置。
【請求項２】
前記態様は、前記表示オブジェクトのサイズ、形状または明るさを含む、
請求項１に記載の情報処理装置。
【請求項３】
前記出力制御部は、前記表示オブジェクトをスクロールさせ、
前記表示オブジェクトは、スクロール方向に前記表示オブジェクトに係る前記コンテンツの属性情報に応じて並べられる、
請求項１または２に記載の情報処理装置。
【請求項４】
前記出力制御部は、前記表示オブジェクトに係る前記コンテンツの位置情報が、隣接する前記表示オブジェクト間で所定の範囲以上異なる場合、後から出力される前記表示オブジェクトに係る前記コンテンツの位置情報を表示部に表示させる、
請求項３に記載の情報処理装置。
【請求項５】
前記出力制御部は、前記表示オブジェクトに係る前記コンテンツの位置情報が表示される際に、前記後から出力される前記表示オブジェクトの態様を前記決定された態様と異なる態様に変化させる、
請求項４に記載の情報処理装置。
【請求項６】
前記出力制御部は、前記表示オブジェクトのスクロールに応じて前記表示オブジェクトの映像の表示範囲を変化させる、
請求項３〜５のいずれか１項に記載の情報処理装置。
【請求項７】
前記視聴優先度情報は、前記コンテンツの生成に関する情報を含む、
請求項１〜６のいずれか１項に記載の情報処理装置。
【請求項８】
前記コンテンツの生成に関する情報は、前記コンテンツの生成指示に応じた情報を含む、
請求項７に記載の情報処理装置。
【請求項９】
前記コンテンツの生成に関する情報は、前記コンテンツを生成した機器の種類を含む、
請求項７または８に記載の情報処理装置。
【請求項１０】
前記視聴優先度情報は、前記コンテンツの品質情報を含む、
請求項１〜９のいずれか１項に記載の情報処理装置。
【請求項１１】
前記コンテンツの品質情報は、前記コンテンツの乱れの程度が把握される情報を含む、
請求項１０に記載の情報処理装置。
【請求項１２】
前記コンテンツの乱れは、映像のぶれ、映像のぼけまたは映像の暗さを含む、
請求項１１に記載の情報処理装置。
【請求項１３】
前記視聴優先度情報は、前記コンテンツの内容を示す情報を含む、
請求項１〜１２のいずれか１項に記載の情報処理装置。
【請求項１４】
前記コンテンツの内容は、映像に映る物体の態様または映像の構図を含む、
請求項１３に記載の情報処理装置。
【請求項１５】
前記表示オブジェクトは、複数の前記コンテンツに基づいて生成される、
請求項１〜１４のいずれか１項に記載の情報処理装置。
【請求項１６】
前記複数の前記コンテンツは、類似する前記コンテンツを含む、
請求項１５に記載の情報処理装置。
【請求項１７】
前記複数の前記コンテンツに基づいて生成される前記表示オブジェクトは、前記複数の前記コンテンツの各々の出力が切り替えられる表示オブジェクトを含む、
請求項１５または１６に記載の情報処理装置。
【請求項１８】
プロセッサを用いて、
複数のコンテンツに基づく複数の表示オブジェクトの各々の態様を前記表示オブジェクトに係る前記コンテンツの視聴優先度に影響する視聴優先度情報に基づいて決定することと、
複数の前記表示オブジェクトの各々を決定された態様でそれぞれ出力部に出力させることと、
を含み、
前記態様は、前記表示オブジェクトに係る音の態様を含む、情報処理方法。
【請求項１９】
複数のコンテンツに基づく複数の表示オブジェクトの各々の態様を前記表示オブジェクトに係る前記コンテンツの視聴優先度に影響する視聴優先度情報に基づいて決定する決定機能と、
複数の前記表示オブジェクトの各々を前記決定機能により決定された態様でそれぞれ出力部に出力させる出力制御機能と、
をコンピュータに実現させ、
前記態様は、前記表示オブジェクトに係る音の態様を含む、プログラム。
【発明の詳細な説明】
【技術分野】
【０００１】
本開示は、情報処理装置、情報処理方法およびプログラムに関する。
【背景技術】
【０００２】
近年、撮像技術の発展に伴い、撮像により得られる画像（以下、撮像画像とも称する。）を閲覧するための技術が開発されている。そのような技術として、例えば、画像ビューアなどのような閲覧アプリケーションがある。撮像装置のユーザは概して、当該閲覧アプリケーションを用いて自身の撮像画像を鑑賞する。
【０００３】
ここで、デジタルスチルカメラまたはデジタルカムコーダなどのデジタル撮像装置が普及したことにより、ユーザが手軽に撮像できるようになっている。他方で、撮像の手軽さゆえに撮像画像の数が膨大となっている。そのため、せっかく撮像したのにも関わらず、撮像画像の一部は閲覧されないこともある。
【０００４】
これに対し、撮像画像の一部を取り出す技術が提案されている。例えば、特許文献１では、複数の動画について所定の撮影区間毎にダイジェストスコアを算出し、各撮影区間において算出ダイジェストスコアが最も高い動画を選択し、選択された動画を用いてダイジェスト画像を生成する画像処理装置に係る発明が開示されている。
【先行技術文献】
【特許文献】
【０００５】
【特許文献１】特開２００８−３１２０６１号公報
【発明の概要】
【発明が解決しようとする課題】
【０００６】
しかし、特許文献１で開示される発明では、複数のコンテンツのうちの一部をユーザが視聴できないおそれがある。例えば、複数の動画のうちの撮影区間のどの部分も選択されなかった動画については、ユーザによる当該動画の視聴が困難となる。また、当該動画の存在自体をユーザに忘れられるおそれもある。
【０００７】
そこで、本開示では、複数のコンテンツの全体の把握とユーザの視聴負担の低減とを両立することが可能な仕組みを提案する。
【課題を解決するための手段】
【０００８】
本開示によれば、複数のコンテンツに基づく複数の表示オブジェクトの各々の態様を前記表示オブジェクトに係る前記コンテンツの視聴優先度に影響する視聴優先度情報に基づいて決定する決定部と、複数の前記表示オブジェクトの各々を前記決定部により決定された態様でそれぞれ出力部に出力させる出力制御部と、を備える情報処理装置が提供される。
【０００９】
また、本開示によれば、プロセッサを用いて、複数のコンテンツに基づく複数の表示オブジェクトの各々の態様を前記表示オブジェクトに係る前記コンテンツの視聴優先度に影響する視聴優先度情報に基づいて決定することと、複数の前記表示オブジェクトの各々を決定された態様でそれぞれ出力部に出力させることと、を含む情報処理方法が提供される。
【００１０】
また、本開示によれば、複数のコンテンツに基づく複数の表示オブジェクトの各々の態様を前記表示オブジェクトに係る前記コンテンツの視聴優先度に影響する視聴優先度情報に基づいて決定する決定機能と、複数の前記表示オブジェクトの各々を前記決定機能により決定された態様でそれぞれ出力部に出力させる出力制御機能と、をコンピュータに実現させるためのプログラムが提供される。
【発明の効果】
【００１１】
以上説明したように本開示によれば、複数のコンテンツの全体の把握とユーザの視聴負担の低減とを両立することが可能な仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の一実施形態に係る情報処理システムの概要を説明するための図である。
【図２】本開示の一実施形態に係る情報処理装置の機能構成の例を概略的に示すブロック図である。
【図３】本開示の一実施形態に係る情報処理装置によりサイズの異なるサムネイルが表示される例を示す図である。
【図４】本開示の一実施形態に係る情報処理装置により形状の異なるサムネイルが表示される例を示す図である。
【図５】本開示の一実施形態に係る情報処理装置により明るさの異なるサムネイルが表示される例を示す図である。
【図６】、本開示の一実施形態に係る情報処理装置により位置情報の表示に応じてサムネイルの態様が変化する例を示す図である。
【図７】本開示の一実施形態に係る情報処理装置の処理の全体を概念的に示すフローチャートである。
【図８】本開示の一実施形態に係る情報処理装置のサムネイルの態様決定処理を概念的に示すフローチャートである。
【図９】本開示の一実施形態の第１の変形例に係る情報処理装置によりスクロールに応じてサムネイルの映像範囲が変化する例を示す図である。
【図１０】本開示の一実施形態の第２の変形例に係る情報処理装置のコンテンツ品質情報に基づくサムネイルの態様決定処理を概念的に示すフローチャートである。
【図１１】本開示の一実施形態の第３の変形例に係る情報処理装置のコンテンツ内容情報に基づくサムネイルの態様決定処理を概念的に示すフローチャートである。
【図１２】本開示の一実施形態の第４の変形例に係る情報処理装置により複数のコンテンツに基づくサムネイルが表示される例を示す図である。
【図１３】本開示の一実施形態の第５の変形例に係る情報処理装置によりサムネイルに係る音の態様が異なる例を示す図である。
【図１４】本開示の一実施形態に係る情報処理装置のハードウェア構成を示した説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．本開示の一実施形態
１−１．システム概要
１−２．装置の機能構成
１−３．装置の処理
１−４．本開示の一実施形態のまとめ
１−５．変形例
２．本開示の一実施形態に係る情報処理装置のハードウェア構成
３．むすび
【００１５】
＜１．本開示の一実施形態＞
本開示の一実施形態について説明する。本開示の一実施形態では、コンテンツが外部装置から提供され、提供されたコンテンツについて本開示の一実施形態に係る情報処理装置１００が処理を行う。
【００１６】
＜１−１．システム概要＞
まず、図１を参照して、本開示の一実施形態に係る情報処理システムの概要について説明する。図１は、本開示の一実施形態に係る情報処理システムの概要を説明するための図である。
【００１７】
本開示の一実施形態に係る情報処理システムは、情報処理装置１００およびコンテンツ生成装置２００を備える。情報処理装置１００は、コンテンツ再生機能および通信機能を有し、コンテンツ生成装置２００は、コンテンツ生成機能および通信機能を有する。具体的には、情報処理装置１００は、通信を介してコンテンツを取得し、取得されたコンテンツを再生する。また、コンテンツ生成装置２００は、所定のタイミングでコンテンツを生成し、生成されたコンテンツを送信する。そのため、当該情報処理システムでは、コンテンツ生成装置２００が生成したコンテンツを情報処理装置１００が再生することが可能である。
【００１８】
例えば、本開示の一実施形態に係る情報処理システムは、図１に示したようなスマートフォン１００およびカメラ２００を備える。カメラ２００は、周辺を撮像し、撮像画像をスマートフォン１００へ送信する。スマートフォン１００は、受信された撮像画像を表示する。
【００１９】
ここで、撮像画像などのコンテンツは、膨大な量になることがある。例えば、図１に示したようなカメラ２００が所定の時間間隔で自動的に撮像を行う場合、次々と撮像画像が生成され、情報処理装置１００に蓄積される。そのため、蓄積された膨大な量のコンテンツからユーザが自身にとって有益なコンテンツを探し出すことはユーザの負担となる。
【００２０】
これに対し、蓄積されたコンテンツのうちの一部のみを取り出し、当該一部のコンテンツのみをユーザに提示することが考えられる。しかし、提示されなかったコンテンツをユーザが視聴することは困難となる。さらに、提示されなかったコンテンツの存在自体もユーザに忘れられてしまいかねない。また、提示されなかったコンテンツがユーザにとって有益であることもある。
【００２１】
そこで、本開示の一実施形態では、複数のコンテンツの全体の把握とユーザの視聴負担の低減とを両立することが可能な情報処理装置１００を提案する。以下、当該情報処理装置１００について詳細に説明する。なお、図１では、情報処理装置１００がスマートフォンである例を説明したが、情報処理装置１００は、タブレット端末、ゲーム機器、ウェアラブル端末またはパーソナルコンピュータなどであってもよい。また、コンテンツ生成装置２００がカメラである例を説明したが、コンテンツ生成装置２００は撮像だけでなく集音を行ってもよい。さらに、集音により得られる音情報が情報処理装置１００へ送信されてもよい。
【００２２】
＜１−２．装置の機能構成＞
次に、図２を参照して、本開示の一実施形態に係る情報処理装置１００の機能構成について説明する。図２は、本開示の一実施形態に係る情報処理装置１００の機能構成の例を概略的に示すブロック図である。
【００２３】
図２に示したように、情報処理装置１００は、通信部１０２、記憶部１０４、サムネイル生成部１０６、操作検出部１０８、出力制御部１１０、表示部１１２および音出力部１１４を備える。
【００２４】
（通信部）
通信部１０２は、コンテンツ生成装置２００と通信する。具体的には、通信部１０２は、コンテンツ生成装置２００からコンテンツを受信する。例えば、通信部１０２は、無線通信方式を用いてコンテンツ生成装置２００と通信する。なお、通信部１０２は、有線通信方式を用いてコンテンツ生成装置２００と通信してもよい。
【００２５】
（記憶部）
記憶部１０４は、コンテンツを記憶する。具体的には、記憶部１０４は、通信部１０２により受信されたコンテンツを記憶する。例えば、コンテンツは、撮像により得られる静止画もしくは動画または集音により得られる音であってよい。
【００２６】
（サムネイル生成部）
サムネイル生成部１０６は、コンテンツに基づいて表示オブジェクトの一例であるサムネイルを生成する。具体的には、サムネイル生成部１０６は、決定部として、当該サムネイルに係るコンテンツの視聴優先度に影響する情報（以下、視聴優先度情報とも称する。）に基づいて当該サムネイルの態様を決定し、決定される態様のサムネイルを生成する。例えば、サムネイル生成部１０６は、サムネイル生成条件が満たされると、コンテンツの生成に関する情報（以下、コンテンツ生成情報とも称する。）をコンテンツのメタ情報などから取得し、当該コンテンツ生成情報に基づいてサムネイルの態様を決定する。さらに、図３を参照して、生成されるサムネイルの例について説明する。図３は、本開示の一実施形態に係る情報処理装置１００によりサイズの異なるサムネイルが表示される例を示す図である。
【００２７】
まず、サムネイル生成部１０６は、サムネイルの生成条件が満たされたかを判定する。例えば、サムネイル生成部１０６は、日付もしくは位置の変化または旅行などのイベントの終了が発生したかを判定する。
【００２８】
サムネイルの生成条件が満たされたと判定されると、サムネイル生成部１０６は、サムネイルの態様を決定する。具体的には、サムネイル生成部１０６は、コンテンツの生成指示の主体に応じて異なる情報に基づいてサムネイルのサイズを決定する。より具体的には、サムネイル生成部１０６は、コンテンツ生成モードを示す情報に基づいてサムネイルの大きさを決定する。コンテンツ生成モードは、ユーザのコンテンツ生成指示操作に基づいてコンテンツを生成するモード（以下、マニュアル生成モードとも称する。）、およびユーザの操作によらず所定の条件が満たされるとコンテンツを生成するモード（以下、オート生成モードとも称する。）を含む。例えば、サムネイル生成部１０６は、コンテンツ生成モードがマニュアル生成モードであるコンテンツに基づく図３に示したようなサムネイル１０Ａのサイズを、コンテンツ生成モードがオート生成モードであるコンテンツに基づく図３に示したようなサムネイル１１Ａのサイズよりも大きくする。
【００２９】
そして、サムネイル生成部１０６は、決定された態様のサムネイルを生成する。具体的には、サムネイル生成部１０６は、決定されたサイズのサムネイルをコンテンツに基づいて生成する。例えば、サムネイル生成部１０６は、コンテンツが静止画である場合は、当該静止画を決定された態様に加工する。また、サムネイル生成部１０６は、コンテンツが動画である場合は、動画の構成要素である複数の画像のうちの一部の画像を当該動画から抜き出し、抜き出された画像が順に表示される拡張された静止画を決定された態様に加工する。
【００３０】
なお、コンテンツ生成情報は、コンテンツを生成した機器の種類であってもよい。具体的には、サムネイル生成部１０６は、コンテンツを生成した機器の種類に応じて当該コンテンツに係るサムネイルの大きさを決定する。例えば、サムネイル生成部１０６は、コンテンツを生成した機器の種類がスマートフォンであるコンテンツに基づくサムネイルのサイズを、コンテンツを生成した機器の種類が自動で撮像するカメラであるコンテンツに基づくサムネイルのサイズよりも大きくする。なお、機器の種類に応じてサムネイルのサイズが予め設定されていてもよい。
【００３１】
また、サムネイル生成部１０６は、視聴優先度情報に基づいてサムネイルの形状を決定してもよい。図４を参照して、視聴優先度情報に基づいてサムネイルの形状が決定される例について説明する。図４は、本開示の一実施形態に係る情報処理装置１００により形状の異なるサムネイルが表示される例を示す図である。
【００３２】
具体的には、サムネイル生成部１０６は、コンテンツ生成情報に基づいてサムネイルの角の丸みを決定する。例えば、サムネイル生成部１０６は、コンテンツ生成モードがマニュアル生成モードであるコンテンツに基づく図４に示したようなサムネイル１０Ｂの角を、コンテンツ生成モードがオート生成モードであるコンテンツに基づく図４に示したようなサムネイル１１Ｂの角よりも丸くする。
【００３３】
また、サムネイル生成部１０６は、視聴優先度情報に基づいてサムネイルの明るさを決定してもよい。図５を参照して、視聴優先度情報に基づいてサムネイルの明るさが決定される例について説明する。図５は、本開示の一実施形態に係る情報処理装置１００により明るさの異なるサムネイルが表示される例を示す図である。
【００３４】
具体的には、サムネイル生成部１０６は、コンテンツ生成情報に基づいてサムネイルの輝度を決定する。例えば、サムネイル生成部１０６は、コンテンツ生成モードがマニュアル生成モードであるコンテンツに基づく図５に示したようなサムネイル１０Ｃの輝度を、コンテンツ生成モードがオート生成モードであるコンテンツに基づく図５に示したようなサムネイル１１Ｃの輝度よりも高くする。なお、サムネイルの明るさは、サムネイルの明度または彩度を用いて表現されてもよく、その他の明るさに関する視覚的効果を用いて表現されてもよい。なお、サムネイルの明るさは、サムネイルがユーザ操作で選択されると、元に戻されてもよい。
【００３５】
なお、図４または図５では、サムネイルのサイズと形状または明るさとの組合せがサムネイルの態様として示されているが、サムネイルの形状または明るさが単体でサムネイルの態様として決定されてよい。また、当然ながら、３つ以上の態様の制御が組合せられてもよい。
【００３６】
（操作検出部）
操作検出部１０８は、情報処理装置１００に対して行われる操作を検出する。具体的には、操作検出部１０８は、情報処理装置１００に対して入力される情報（以下、入力情報とも称する。）を取得し、取得される入力情報に基づいて入力された操作を検出する。例えば、操作検出部１０８は、情報処理装置１００に対してタッチ操作が行われると、入力情報からタッチ位置などの操作内容を検出する。
【００３７】
（出力制御部）
出力制御部１１０は、情報処理装置１００の出力を制御する。具体的には、出力制御部１１０は、表示部１１２および音出力部１１４の処理を制御する。
【００３８】
まず、表示部１１２の処理の制御について説明する。出力制御部１１０は、表示部１１２に表示オブジェクトの一例であるサムネイルを表示させる。具体的には、出力制御部１１０は、複数のサムネイルの各々を視聴優先度情報に基づいて決定された態様でそれぞれ表示部に出力させる。より具体的には、出力制御部１１０は、サムネイル生成部１０６により生成された複数のサムネイル全体の表示態様を決定する。例えば、出力制御部１１０は、サムネイルに係るコンテンツの属性情報に応じて、サムネイルの表示位置、表示順、スクロール有無およびスクロールの速さを決定する。詳細には、出力制御部１１０は、サムネイルに係るコンテンツの生成時間について時系列にサムネイルの表示順を決定する。図３に示したように、画面の少なくとも一部がサムネイルの大きさに応じたグリッドに分割され、当該グリッド毎にサムネイルが出力される。なお、当該サムネイルの表示態様に関する情報は、スケジュール情報として記憶されてもよい。
【００３９】
また、出力制御部１１０は、表示部１１２にサムネイルと共に位置情報を表示させる。具体的には、出力制御部１１０は、サムネイルに係るコンテンツの位置情報（以下、便宜上サムネイルの位置情報とも称する。）を当該サムネイルに関連して表示部１１２に表示させる。より具体的には、出力制御部１１０は、サムネイルに係るコンテンツの位置情報が、隣接するサムネイル間で所定の範囲以上異なる場合、後から出力されるサムネイルに係るコンテンツの位置情報を表示部に表示させる。さらに、図３を参照して、位置情報の表示処理について詳細に説明する。
【００４０】
まず、出力制御部１１０は、隣接するサムネイルの位置情報の各々が互いに所定の範囲内であるかを判定する。より具体的には、出力制御部１１０は、隣接するサムネイルの位置情報の示す位置の間の距離が所定の長さ以上であるかを判定する。例えば、出力制御部１１０は、図３に示したようなサムネイル１３Ａの位置情報の示す位置「Ｔｏｋｙｏ，Ｔａｉｔｏ−ｋｕ」と、当該サムネイル１３Ａと隣接するサムネイル１５Ａの位置情報の示す位置「Ｔｏｋｙｏ，Ｍｉｎａｔｏ−ｋｕ」との距離が所定の長さ以上であるかを判定する。なお、出力制御部１１０は、位置情報が地名を示す場合には当該地名が異なるかを判定してもよい。また、位置情報の表示判定はサムネイル生成部１０６が行ってもよい。
【００４１】
隣接するサムネイルの位置情報の各々が互いに所定の範囲内でないと判定されると、出力制御部１１０は、当該隣接するサムネイルのうちの後から出力されるサムネイルに係るコンテンツの位置情報を当該後から出力されるサムネイルに関連して表示部１１２に表示させる。例えば、出力制御部１１０は、サムネイル１３Ａの位置情報の示す位置とサムネイル１５Ａの位置情報の示す位置との距離が所定の長さ以上であると判定されると、当該サムネイル１５Ａの下部に当該サムネイル１５Ａの位置情報を示す位置「Ｔｏｋｙｏ，Ｍｉｎａｔｏ−ｋｕ」をテキストで示すオブジェクトを表示部１１２に表示させる。
【００４２】
なお、出力制御部１１０は、サムネイルの位置情報が表示される際に、後から出力されるサムネイルの態様を決定された態様と異なる態様に変化させてもよい。具体的には、出力制御部１１０は、当該後から出力されるサムネイルの態様を決定された態様よりも強調する態様に変化させる。さらに、図６を参照して、サムネイルの位置情報の表示に応じたサムネイルの態様の変化について詳細に説明する。図６は、本開示の一実施形態に係る情報処理装置１００により位置情報の表示に応じてサムネイルの態様が変化する例を示す図である。
【００４３】
まず、出力制御部１１０は、サムネイルの位置情報が表示されるかを判定する。例えば、出力制御部１１０は、図６に示したようなサムネイル１５Ｄについて上述したようなサムネイルの位置情報の表示処理を行うことにより、サムネイル１５Ｄの位置情報の表示有無を判定する。
【００４４】
サムネイルの位置情報が表示されると判定されると、出力制御部１１０は、当該サムネイルの態様を強調された態様に変更する。例えば、出力制御部１１０は、図６に示したように位置情報が表示されるサムネイル１５Ｄのサイズを大きくする。なお、サムネイルの態様の変更は一時的であってよい。例えば、サムネイル１５Ｄが出力されたタイミングでサムネイル１５Ｄのサイズが大きくなり、所定の時間が経過すると、またはサムネイル１５Ｄがスクロールにより所定の距離だけ移動すると、サムネイル１５Ｄのサイズが元に戻るとしてよい。
【００４５】
また、位置情報が表示されるサムネイルの態様が変化している間、他のサムネイルの態様、特に隣接するサムネイルの態様も変更されてよい。例えば、図６に示したように、サムネイル１５Ｄのサイズが一時的に大きくなっている間、サムネイル１５Ｄに隣接するサムネイル１４Ｄのサイズが小さくされてよい。また、図６に示したようにサムネイル１５Ｄに隣接するサムネイル１６Ｄの出力が遅らされてよい。なお、このようにサムネイルの態様が変更されている間、サムネイルが出力されない領域が画面上に発生してもよく、当該領域に別のサムネイルが出力されてもよい。当該別のサムネイルは、例えばサムネイル１４Ｄに係るコンテンツが動画である場合には、当該動画のうちのサムネイル１４Ｄとして表示される画像以外の画像で生成されるサムネイルであってよい。また、当該別のサムネイルの出力は、サムネイル１５Ｄの後から出力されるサムネイルの先出しであってもよい。また、態様が変化している間、一時的に隣接するサムネイルが隠されてもよい。
【００４６】
続いて、音処理部１１４の処理の制御について説明する。出力制御部１１０は、音出力部１１４に音を出力させる。具体的には、出力制御部１１０は、サムネイルの表示タイミングに応じて当該サムネイルに関する音を音出力部１１４に出力させる。例えば、出力制御部１１０は、サムネイルに係るコンテンツが音情報を有しまたは音情報と関連する場合、当該サムネイルが表示されるタイミングで当該音情報に係る音を音出力部１１４に出力させる。当該音情報は、動画などの映像とともに記録される音情報であってよく、映像とは別個の音情報であってもよい。なお、サムネイルの表示態様が決定した後に、上述したスケジュール情報に音の出力タイミングなどの情報が追加されてもよい。
【００４７】
また、出力制御部１１０は、サムネイルが再生されている間、音出力部１１４に背景的な音を出力させる。具体的には、出力制御部１１０は、サムネイルの再生中において、ＢＧＭ（Back  Ground  Music）のような音楽または生活音などの音を音出力部１１４に出力させる。なお、当該背景的な音は、再生されているサムネイルに応じて制御されてもよい。例えば、上述したサムネイルに関する音が出力されている間は、当該背景的な音の音量が下げられてもよく、当該背景的な音の出力が一時的に停止されてもよい。
【００４８】
続いて、表示部１１２および音出力部１１４の両方の処理の制御に係る機能について説明する。出力制御部１１０は、サムネイルの再生操作に基づいてサムネイルの再生を制御する。具体的には、出力制御部１１０は、操作検出部１０８によりサムネイルの再生開始操作が検出されると、サムネイルの再生を各出力部に開始させる。例えば、本開示の一実施形態に係るサムネイルの再生処理はビューアのようなアプリケーションとして提供されてよく、サムネイル再生ビューアが起動されると、出力制御部１１０は、生成されているサムネイルの表示を表示部１１２に開始させる。また、同様に、出力制御部１１０は、音出力部１１４に音の出力を開始させる。
【００４９】
また、出力制御部１１０は、出力されるサムネイルに対する操作に応じて当該サムネイルに係るコンテンツを再生させる。具体的には、出力制御部１１０は、表示されているサムネイルについての選択操作が検出されると、当該選択操作が行われたサムネイルに係るコンテンツを当該コンテンツの再生部に再生させる。例えば、出力制御部１１０は、表示されているサムネイルについてのタッチ操作が検出されると、当該タッチ操作の対象のサムネイルに係る動画を動画プレイヤに再生させる。
【００５０】
（表示部）
表示部１１２は、出力部として、出力制御部１１０の指示に基づいて画像を表示する。具体的には、表示部１１２は、出力制御部１１０の指示に基づいて、サムネイル生成部１０６により生成されたサムネイルおよび位置情報に係るオブジェクトを表示する。
【００５１】
（音出力部）
音出力部１１４は、出力部のとして、出力制御部１１０の指示に基づいて音を出力する。具体的には、音出力部１１４は、出力制御部１１０の指示に基づいて、音情報に係る音を出力する。
【００５２】
＜１−３．装置の処理＞
次に、本開示の一実施形態に係る情報処理装置１００の処理について説明する。
【００５３】
（全体処理）
まず、図７を参照して、情報処理装置１００の処理の全体について説明する。図７は、本開示の一実施形態に係る情報処理装置１００の処理の全体を概念的に示すフローチャートである。
【００５４】
情報処理装置１００は、サムネイルの生成条件が成立したかを判定する（ステップＳ３０２）。具体的には、サムネイル生成部１０６は、時間情報、位置情報またはスケジューラのイベント情報などを取得し、取得される各種情報に基づいてサムネイルの生成条件が成立したかを判定する。
【００５５】
サムネイル生成条件が成立したと判定されると、情報処理装置１００は、コンテンツを取得する（ステップＳ３０４）。具体的には、サムネイル生成部１０６は、サムネイル生成条件が成立したと判定されると、蓄積されたコンテンツを記憶部１０４から取得する。
【００５６】
次に、情報処理装置１００は、視聴優先度情報に基づいてサムネイルの態様を決定する（ステップＳ３０６）。具体的には、サムネイル生成部１０６は、取得されたコンテンツの視聴優先度情報に基づいてサムネイルのサイズ、形状または明るさを決定する。なお、視聴優先度情報はコンテンツに付属する情報としてコンテンツとともに取得されてもよく、コンテンツとは別個に取得されてもよい。
【００５７】
次に、情報処理装置１００は、サムネイルを生成する（ステップＳ３０８）。具体的には、サムネイル生成部１０６は、決定された態様でコンテンツに基づいてサムネイルを生成する。
【００５８】
なお、上記のステップＳ３０２〜Ｓ３０８までの処理は、バックグラウンド処理として情報処理装置１００の他の処理と並行して行われてよい。
【００５９】
情報処理装置１００は、ビューアが起動されたかを判定する（ステップＳ３１０）。具体的には、出力制御部１１０は、サムネイル再生ビューアの起動操作が操作検出部１０８により検出されたかを判定する。
【００６０】
ビューアが起動されたと判定されると、情報処理装置１００は、サムネイルをスクロール方式で再生する（ステップＳ３１２）。具体的には、出力制御部１１０は、サムネイル再生画面を表示部１１２に表示させ、当該画面において生成されたサムネイルを時系列に所定の速さのスクロールを用いて表示部１１２に表示させる。なお、出力制御部１１０は、ユーザの操作に基づいてスクロールさせてもよい。例えば、出力制御部１１０は、スクロールバーを表示部１１２に表示させ、当該スクロールバーに対する操作が検出されると、当該スクロールバーに対する操作に応じてサムネイルをスクロールさせる。また、ユーザの操作はサムネイルの表示される画面に対するスワイプ操作であってもよい。
【００６１】
次に、情報処理装置１００は、サムネイルの選択操作の発生有無を判定する（ステップＳ３１４）。具体的には、出力制御部１１０は、表示されているサムネイルに対するタッチ操作が操作検出部１０８により検出されたかを判定する。
【００６２】
サムネイルが選択されたと判定されると、情報処理装置１００は、選択されたサムネイルに係るコンテンツを再生する（ステップＳ３１６）。具体的には、出力制御部１１０は、タッチ操作が検出されたと判定されると、当該タッチ操作が行われたサムネイルに係るコンテンツを当該コンテンツの再生部に再生させる。
【００６３】
次に、情報処理装置１００は、ビューアが終了されたかを判定する（ステップＳ３１８）。具体的には、出力制御部１１０は、サムネイル再生ビューアの終了操作が操作検出部１０８により検出されたかを判定する。
【００６４】
ビューアが終了されたと判定されると、情報処理装置１００は、サムネイルの再生を終了する（ステップＳ３２０）。具体的には、出力制御部１１０は、サムネイルの再生を終了し、サムネイル再生画面を閉じる。
【００６５】
（サムネイルの態様決定処理）
続いて、図８を参照して、情報処理装置１００のサムネイルの態様決定処理（図６におけるステップＳ３０６の処理）について詳細に説明する。図８は、本開示の一実施形態に係る情報処理装置１００のサムネイルの態様決定処理を概念的に示すフローチャートである。
【００６６】
情報処理装置１００は、コンテンツ生成情報を取得する（ステップＳ４０２）。具体的には、サムネイル生成部１０６は、取得されたコンテンツについてのコンテンツ生成情報をコンテンツのメタ情報から取得する。
【００６７】
次に、情報処理装置１００は、コンテンツが手動で生成されたかを判定する（ステップＳ４０４）。具体的には、サムネイル生成部１０６は、コンテンツ生成情報の示すコンテンツ生成モードがマニュアル生成モードであるかを判定する。
【００６８】
コンテンツが手動で生成されたと判定されると、情報処理装置１００は、コンテンツに係るサムネイルのサイズを「大」に決定する（ステップＳ４０６）。具体的には、サムネイル生成部１０６は、コンテンツ生成情報の示すコンテンツ生成モードがマニュアル生成モードであると判定されると、当該コンテンツに基づくサムネイルのサイズを「大」に決定する。
【００６９】
コンテンツが手動で生成されなかったと判定されると、情報処理装置１００は、コンテンツが特定の種類の機器で生成されたかを判定する（ステップＳ４０８）。具体的には、サムネイル生成部１０６は、コンテンツ生成情報の示すコンテンツを生成した機器の種類がスマートフォンであるかを判定する。
【００７０】
コンテンツが特定の種類の機器で生成されたと判定された場合、ステップＳ４０６に処理が進められる。そうでない場合、情報処理装置１００は、コンテンツに係るサムネイルのサイズを「小」に決定する。具体的には、コンテンツ情報の示すコンテンツを生成した機器の種類がスマートフォンであると判定された場合、サムネイル生成部１０６は、当該コンテンツに基づくサムネイルのサイズを「大」に決定する。そうでない場合、サムネイル生成部１０６は、当該コンテンツに基づくサムネイルのサイズを「小」に決定する。
【００７１】
＜１−４．本開示の一実施形態のまとめ＞
このように、本開示の一実施形態によれば、情報処理装置１００は、複数のコンテンツに基づく複数のサムネイルの各々の態様を当該サムネイルに係るコンテンツの視聴優先度に影響する視聴優先度情報に基づいて決定する。そして、情報処理装置１００は、複数のサムネイルの各々を決定された態様でそれぞれ出力部に出力させる。このため、視聴優先度に応じてサムネイルの視認性を制御することができる。すなわち、視聴優先度が高いほど視認性が高くなる態様でサムネイルを出力し、視聴優先度が低いほど視認性が低くなる態様でサムネイルを出力することができる。従って、ユーザが視聴を所望する可能性が高いサムネイルおよび低いサムネイルの両方を網羅的に出力しながら、ユーザが視聴を所望するサムネイルの視認性を高めることにより、複数のコンテンツの全体の把握とユーザの視聴負担の低減とを両立することが可能となる。
【００７２】
また、上記態様は、上記サムネイルのサイズ、形状または明るさを含む。概して、サムネイルのサイズ、形状または明るさに応じてサムネイルの視認性は変動する。そのため、これらの要素が視聴優先度に応じて制御されることにより、サムネイルの視認性を制御することができる。また、視覚的に視聴優先度が表現されることにより、ユーザは直感的に視聴すべきサムネイルを判断することができる。
【００７３】
また、情報処理装置１００は、上記サムネイルをスクロールさせ、当該サムネイルは、スクロール方向に当該サムネイルに係るコンテンツの属性情報に応じて並べられる。このため、サムネイルがスクロールされることにより、ユーザが視認できる大きさでサムネイル群が一画面に収まらない場合にも、全てのサムネイルをユーザに視聴させることができる。また、コンテンツの属性情報に応じて並べられることにより、サムネイル間の関係性をユーザに直感的に理解させることができる。なお、上記実施形態では時系列にサムネイルが並べられる例を説明したが、サムネイルは位置情報またはイベント情報などといった他のコンテンツの属性情報に応じて並べられてもよい。また、サムネイルは視聴優先度の高さに応じて並べられてもよい。
【００７４】
また、情報処理装置１００は、上記サムネイルに係るコンテンツの位置情報が、隣接するサムネイル間で所定の範囲以上異なる場合、後から出力されるサムネイルに係るコンテンツの位置情報を表示部１１２に表示させる。このため、サムネイルを鑑賞するユーザは、表示されているサムネイルに関する位置を追加的な動作なく知ることができる。また、所定の範囲内の位置情報がまとめて１つに表示されることにより、個々のサムネイルについて位置情報が表示される場合と比べて視認性の低下を抑制することができる。特に、旅行などの移動を伴うイベントで生成されたコンテンツに基づくサムネイルが再生される場合には、ユーザは当該イベントの区切りを当該位置情報で知ることが可能となる。
【００７５】
また、情報処理装置１００は、上記サムネイルに係るコンテンツの位置情報が表示される際に、上記後から出力されるサムネイルの態様を上記決定された態様と異なる態様に変化させる。このため、位置情報が表示されるだけでなく、サムネイルの態様も強調されることにより、サムネイルに関する位置がこれまで出力されてきたサムネイルと異なることをユーザに気付かせやすくすることができる。
【００７６】
また、上記視聴優先度情報は、上記コンテンツの生成に関する情報を含む。サムネイルについての視聴の所望度は、当該サムネイルに係るコンテンツの生成過程によって変動することがある。そのため、コンテンツ生成情報に基づいてサムネイルの態様が決定されることにより、推定される視聴の所望度にサムネイルの態様をより正確に合わせることができる。従って、視認性を相対的に高めるサムネイルが適切に選択されることにより、ユーザのニーズとの不整合を抑制することが可能となる。
【００７７】
また、上記コンテンツの生成に関する情報は、コンテンツの生成指示の主体に応じて異なる情報を含む。ユーザが生成を意図したコンテンツは、自動的に生成されたコンテンツよりもユーザの視聴の所望度が高いと考えられる。例えば、コンテンツの生成指示の主体がユーザである場合には、当該コンテンツの視聴優先度は、当該主体が装置である場合よりも高くなると考えられる。そのため、当該主体に応じて異なる情報がサムネイルの態様の決定処理に用いられることにより、推定される視聴の所望度とサムネイルの態様との対応の正確性をさらに向上させることができる。従って、ユーザはサムネイルを全体的に把握しながら、一目で視聴を所望するサムネイルを発見でき、視聴効率の向上が可能となる。
【００７８】
また、上記コンテンツの生成に関する情報は、コンテンツを生成した機器の種類を含む。コンテンツ生成機器としては、例えばユーザの意図に応じてコンテンツを生成する機器と自動的にコンテンツを生成する機器がある。そのため、当該機器の種類がサムネイルの態様の決定処理に用いられることにより、推定される視聴の所望度とサムネイルの態様との対応の正確性をさらに向上させることができる。従って、ユーザはサムネイルを全体的に把握しながら、一目で視聴を所望するサムネイルを発見でき、視聴効率の向上が可能となる。
【００７９】
＜１−５．変形例＞
以上、本開示の一実施形態について説明した。なお、本開示の一実施形態は、上述の例に限定されない。以下に、本開示の一実施形態の第１〜第６の変形例について説明する。
【００８０】
（第１の変形例）
本開示の一実施形態の第１の変形例として、情報処理装置１００は、サムネイルのスクロールに合わせてサムネイルの態様を制御してもよい。具体的には、出力制御部１１０は、サムネイルのスクロールに応じてサムネイルの映像の表示範囲を変化させる。さらに、図９を参照して、本変形例の処理について詳細に説明する。図９は、本開示の一実施形態の第１の変形例に係る情報処理装置１００によりスクロールに応じてサムネイルの映像範囲が変化する例を示す図である。
【００８１】
まず、出力制御部１１０は、スクロール位置に応じた、出力されるサムネイルの映像の表示範囲を決定する。具体的には、出力制御部１１０は、サムネイルの出力が開始されるスクロール位置におけるサムネイルの映像に係るパン開始位置を決定する。例えば、図９の上段に示したようなパン位置がサムネイル１０Ｅの表示開始時点におけるパン開始位置に決定される。なお、当該パン開始位置はスケジュール情報として追加されてよい。
【００８２】
そして、出力制御部１１０は、サムネイルの再生において、サムネイルをスクロールさせると共にスクロール位置に応じてサムネイルの映像の表示範囲を変化させる。具体的には、出力制御部１１０は、パン開始位置が設定されているサムネイルの映像をスクロールに応じてパンニングさせる。例えば、図９の上段に示したようにサムネイル１０Ｅの表示が開始されると、サムネイル１０Ｅの映像についてパン開始位置からパンニングが開始される。続いて、図９の中段に示したように、スクロールの図９中の右から左への進行に応じて、サムネイル１０Ｅの映像がパン開始位置から左へパンニングされる。そして、サムネイル１０Ｅが画面の端に到達した際に、サムネイル１０Ｅの映像についてのパンニングが終了する。
【００８３】
なお、図９ではサムネイルの映像についてパンニングが行われる例が示されたが、パンニングの代わりにまたはそれに加えて、チルティングが行われてもよい。
【００８４】
また、出力制御部１１０は、スクロールとは関係なく、サムネイルの映像の表示範囲を変化させてもよい。例えば、出力制御部１１０は、時間の経過またはユーザの操作に応じてサムネイルの映像の表示範囲を変化させてもよい。
【００８５】
このように、本開示の一実施形態の第１の変形例によれば、情報処理装置１００は、サムネイルのスクロールに応じてサムネイルの映像の表示範囲を変化させる。このため、サムネイルのサイズが映像のサイズよりも小さい場合であっても、映像の全体をユーザに視聴させることができる。また、映像の全体を視聴させるために縮小された映像が出力されることを防止できる。従って、情報量を削減することなく、視認性を維持しまたは向上させることが可能となる。
【００８６】
（第２の変形例）
本開示の一実施形態の第２の変形例として、視聴優先度情報は、コンテンツの品質情報であってもよい。具体的には、出力制御部１１０は、コンテンツの品質情報に基づいてサムネイルの態様を決定する。例えば、コンテンツの品質情報は、コンテンツの乱れの程度が把握される情報である。コンテンツの乱れとしては、例えば映像のぶれ、映像のぼけまたは映像の暗さがある。さらに、図１０を参照して、本変形例の処理について詳細に説明する。図１０は、本開示の一実施形態の第２の変形例に係る情報処理装置１００のコンテンツ品質情報に基づくサムネイルの態様決定処理を概念的に示すフローチャートである。なお、上述した処理と実質的に同一である処理については説明を省略する。
【００８７】
情報処理装置１００は、コンテンツ品質情報を取得する（ステップＳ５０２）。具体的には、サムネイル生成部１０６は、取得されたコンテンツのコンテンツ品質情報として、映像のぶれの程度、映像のぼけの程度および映像の暗さが把握される情報を取得する。例えば、サムネイル生成部１０６は、画像分析処理を行うことにより、上記３つの情報を取得する。なお、上記３つの情報は、通信を介して当該画像分析処理を行う外部の装置から取得されてもよい。
【００８８】
次に、情報処理装置１００は、コンテンツ品質情報に基づいて映像のぶれが許容範囲内かを判定する（ステップＳ５０４）。具体的には、サムネイル生成部１０６は、コンテンツ品質情報の示す映像のぶれの程度を示す値が許容値以下である、すなわちぶれが小さいかを判定する。
【００８９】
映像のぶれが許容範囲内であると判定されると、情報処理装置１００は、コンテンツ品質情報に基づいて映像のぼけが許容範囲内かを判定する（ステップＳ５０６）。具体的には、映像のぶれの程度を示す値が許容値以下であると判定されると、サムネイル生成部１０６は、コンテンツ品質情報の示す映像のぼけの程度を示す値が許容値以下である、すなわちぼけが少ないかを判定する。なお、サムネイル生成部１０６は、映像のぼけている箇所が許容される箇所（例えば、背景または見切れている物体など）であるかを判定してもよい。
【００９０】
映像のぼけが許容範囲内であると判定されると、情報処理装置１００は、コンテンツ品質情報に基づいて映像の暗さが許容範囲内かを判定する（ステップＳ５０８）。具体的には、映像のぼけの程度を示す値が許容値以下であると判定されると、サムネイル生成部１０６は、コンテンツ品質情報の示す映像の暗さを示す値が許容値以下である、すなわちユーザが視認できる程度に明るいかを判定する。なお、当該映像の暗さは、映像の撮影時間または撮影場所が考慮された値であってよい。例えば、夜に撮影されたコンテンツについては昼に撮影されたコンテンツよりも許容値が高く設定されてよい。
【００９１】
そして、情報処理装置１００は、映像の暗さが許容範囲内であると判定されると、コンテンツに係るサムネイルのサイズを「大」に決定し（ステップＳ５１０）、ステップＳ５０８にて映像の暗さが許容範囲外であると判定されると、コンテンツに係るサムネイルのサイズを「中」に決定する（ステップＳ５１２）。
【００９２】
また、情報処理装置１００は、ステップＳ５０４にて映像のぶれが許容範囲外であると判定され、またはステップＳ５０６にて映像のぼけが許容範囲外であると判定されると、コンテンツに係るサムネイルのサイズを「小」に決定する（ステップＳ５１４）。
【００９３】
なお、コンテンツの品質の程度に応じてサムネイルの態様が動的に決定されてもよい。例えば、サムネイル生成部１０６は、映像のぶれの程度に応じて算出されるサイズをサムネイルのサイズに決定してもよい。
【００９４】
また、上記ではコンテンツ品質情報が複数である例を説明したが、当該複数のコンテンツ品質情報のうちの１つに基づいてサムネイルの態様が決定されてもよい。
【００９５】
このように、本開示の一実施形態の第２の変形例によれば、視聴優先度情報は、コンテンツの品質情報を含む。サムネイルについての視聴の所望度は概して、当該サムネイルに係るコンテンツの品質によって変動する。そのため、コンテンツ品質情報に基づいてサムネイルの態様が決定されることにより、推定される視聴の所望度にサムネイルの態様をより正確に合わせることができる。従って、視認性を相対的に高めるサムネイルが適切に選択されることにより、ユーザのニーズとの不整合を抑制することが可能となる。
【００９６】
また、上記コンテンツの品質情報は、コンテンツの乱れの程度が把握される情報を含む。乱れているコンテンツは概して、ユーザに視聴を所望されない。そのため、コンテンツの乱れの程度に応じた態様でサムネイルが出力されることにより、推定される視聴の所望度とサムネイルの態様との対応の正確性を向上させることができる。
【００９７】
また、上記コンテンツの乱れは、映像のぶれ、映像のぼけまたは映像の暗さを含む。このため、ユーザが気づきやすいコンテンツの品質に基づいてサムネイルの態様が決定されることにより、推定される視聴の所望度とサムネイルの態様との対応の正確性をさらに向上させることができる。従って、ユーザはサムネイルを全体的に把握しながら、一目で視聴を所望するサムネイルを発見でき、視聴効率の向上が可能となる。
【００９８】
（第３の変形例）
本開示の一実施形態の第３の変形例として、視聴優先度情報は、コンテンツの内容を示す情報（以下、コンテンツ内容情報とも称する。）であってもよい。具体的には、出力制御部１１０は、コンテンツ内容情報に基づいてサムネイルの態様を決定する。コンテンツの内容としては、例えば映像に映る物体の態様または映像の構図がある。さらに、図１１を参照して、本変形例の処理について詳細に説明する。図１１は、本開示の一実施形態の第３の変形例に係る情報処理装置１００のコンテンツ内容情報に基づくサムネイルの態様決定処理を概念的に示すフローチャートである。なお、上述した処理と実質的に同一である処理については説明を省略する。
【００９９】
情報処理装置１００は、コンテンツ内容情報を取得する（ステップＳ６０２）。具体的には、サムネイル生成部１０６は、取得されたコンテンツのコンテンツ内容情報として、映像に映る物体の態様が把握される情報および映像の構図についての評価情報を取得する。例えば、サムネイル生成部１０６は、画像分析処理を行うことにより、人物または特定の建物の有無、映像に映っている人物または建物の数、および映像全体の構図を把握し、それぞれについて情報を生成する。なお、コンテンツ内容情報は、通信を介して当該画像分析処理を行う外部の装置から取得されてもよい。
【０１００】
次に、情報処理装置１００は、コンテンツ内容情報に基づいて映像の構図が及第点かを判定する（ステップＳ６０４）。具体的には、サムネイル生成部１０６は、コンテンツ内容情報の示す映像の構図についての評価値が閾値以上であるかを判定する。
【０１０１】
映像の構図が及第点であると判定されると、情報処理装置１００は、コンテンツ内容情報に基づいて人物の数が閾値以上かを判定する（ステップＳ６０６）。具体的には、映像の構図についての評価値が閾値以上であると判定されると、サムネイル生成部１０６は、コンテンツ内容情報の示す映像に映る人物の数が閾値以上であるかを判定する。
【０１０２】
人物の数が閾値以上であると判定されると、情報処理装置１００は、コンテンツ内容情報に基づいて映っている人物が笑顔であるかを判定する（ステップＳ６０８）。具体的には、人物の数が閾値以上であると判定されると、サムネイル生成部１０６は、コンテンツ内容情報の示す人物の笑顔についての評価値が閾値以上であるかを判定する。なお、人物の笑顔の代わりにまたはそれに追加して、人物の顔の向きまたは目線についての評価値が用いられてもよい。
【０１０３】
そして、情報処理装置１００は、映像に映っている人物が笑顔であると判定されると、コンテンツに係るサムネイルのサイズを「大」に決定し（ステップＳ６１０）、ステップＳ６０６にて人物の数が閾値未満であると判定され、またはステップＳ６０８にて映っている人物が笑顔であると判定されると、コンテンツに係るサムネイルのサイズを「中」に決定する（ステップＳ６１２）。
【０１０４】
また、情報処理装置１００は、ステップＳ６０４にて映像の構図が及第点でないと判定されると、コンテンツに係るサムネイルのサイズを「小」に決定する（ステップＳ６１４）。
【０１０５】
なお、コンテンツの内容についての評価の程度に応じてサムネイルの態様が動的に決定されてもよい。例えば、サムネイル生成部１０６は、映像に映っている人物の数または笑顔の程度に応じて算出されるサイズをサムネイルのサイズに決定してもよい。
【０１０６】
また、上記ではコンテンツ内容情報が複数である例を説明したが、当該複数のコンテンツ内容情報のうちの１つに基づいてサムネイルの態様が決定されてもよい。
【０１０７】
このように、本開示の一実施形態の第３の変形例によれば、視聴優先度情報は、コンテンツの内容を示す情報を含む。サムネイルについての視聴の所望度は概して、当該サムネイルに係るコンテンツの内容によって変動する。そのため、コンテンツ内容情報に基づいてサムネイルの態様が決定されることにより、推定される視聴の所望度にサムネイルの態様をより正確に合わせることができる。従って、視認性を相対的に高めるサムネイルが適切に選択されることにより、ユーザのニーズとの不整合を抑制することが可能となる。
【０１０８】
また、上記コンテンツの内容は、映像に映る物体の態様または映像の構図を含む。このため、視聴の所望度に対する影響が大きいと考えられる視聴を所望する物体の有無または映り具合に応じてサムネイルの態様が決定されることにより、推定される視聴の所望度とサムネイルの態様との対応の正確性をさらに向上させることができる。従って、ユーザはサムネイルを全体的に把握しながら、一目で視聴を所望するサムネイルを発見でき、視聴効率の向上が可能となる。
【０１０９】
（第４の変形例）
本開示の一実施形態の第４の変形例として、サムネイルは、複数のコンテンツに基づいて生成されてもよい。具体的には、サムネイル生成部１０６は、複数の類似するコンテンツに基づいて１つのサムネイル（以下、複合サムネイルとも称する。）を生成する。さらに、図１２を参照して、本変形例の処理について説明する。図１２は、本開示の一実施形態の第４の変形例に係る情報処理装置１００により複数のコンテンツに基づくサムネイルが表示される例を示す図である。
【０１１０】
サムネイル生成部１０６は、複数のコンテンツから所定の情報に基づいて複数の類似するコンテンツを選択する。具体的には、サムネイル生成部１０６は、コンテンツ生成情報、コンテンツ品質情報、コンテンツ内容情報またはその他属性情報が類似するコンテンツを選択する。例えば、コンテンツの内容として映像に映る物体の種類が類似するコンテンツ、例えば図１２に示したような食べ物（そば、寿司）が映るコンテンツが選択される。
【０１１１】
次に、サムネイル生成部１０６は、選択されたコンテンツの各々が視認される複合サムネイルを生成する。具体的には、サムネイル生成部１０６は、選択されたコンテンツの各々の出力が切り替えられるサムネイルを生成する。例えば、図１２に示したサムネイル１７Ｆのような、サムネイルのスクロールに応じて出力されるコンテンツが切り替えられるサムネイルが生成される。
【０１１２】
なお、複合サムネイルは、種類の異なるコンテンツに基づいて生成されてもよい。具体的には、サムネイル生成部１０６は、静止画と動画とに基づいてサムネイルを生成してよい。例えば、サムネイル生成部１０６は、静止画と、動画から生成される拡張された複数の動画と、が交互に切り替えられる複合サムネイルを生成する。
【０１１３】
また、上記では、複合サムネイルは、コンテンツの出力が切り替えられるサムネイルである例を説明したが、選択された複数のコンテンツが合成されたサムネイルであっても、当該複数のコンテンツがサムネイルの一部としてそれぞれ同時に出力されるサムネイルであってもよい。
【０１１４】
このように、本開示の一実施形態の第４の変形例によれば、サムネイルは、複数のコンテンツに基づいて生成される。このため、１つのサムネイルで複数のコンテンツを視聴することができる。従って、サムネイルの数が低減されることによりサムネイルについての視認性を向上させながら、コンテンツの全体を把握することが可能となる。
【０１１５】
また、上記複数のコンテンツは、類似するコンテンツを含む。このため、１つの複合サムネイルに類似するコンテンツがまとめられることにより、ユーザは当該複合サムネイルに係るコンテンツの全てを視認しなくても当該複合サムネイルの内容を把握しやすくなる。従って、サムネイル（コンテンツ）の視聴効率を向上させることが可能となる。
【０１１６】
また、上記複数のコンテンツに基づいて生成されるサムネイルは、当該複数のコンテンツの各々の出力が切り替えられるサムネイルを含む。このため、サムネイルの出力領域の全体がコンテンツの出力に使われることにより、複合サムネイルに係る個々のコンテンツの視認性を維持しまたは向上させることができる。従って、サムネイル（コンテンツ）の視認性と視聴効率との両立が可能となる。
【０１１７】
（第５の変形例）
本開示の一実施形態の第５の変形例として、制御されるサムネイルの態様は、サムネイルに係る音の態様が含まれてもよい。具体的には、サムネイル生成部１０６は、視聴優先度情報に基づいてサムネイルに係る音の態様を決定する。さらに、図１３を参照して、本変形例の処理について説明する。図１３は、本開示の一実施形態の第５の変形例に係る情報処理装置１００によりサムネイルに係る音の態様が異なる例を示す図である。
【０１１８】
サムネイル生成部１０６は、視聴優先度情報に基づいてサムネイルに係る音の態様を決定し、サムネイルを生成する。具体的には、サムネイル生成部１０６は、視聴優先度の高さに応じてサムネイルの音の大きさを決定する。例えば、サムネイル生成部１０６は、映像に映る人物の数が閾値以上のコンテンツに基づく図１３に示したようなサムネイル１０Ｇの映像に係る音の音量を、人物の数が閾値未満のコンテンツに基づく図１３に示したようなサムネイル１３Ｇと関連する音よりも大きくする。
【０１１９】
そして、出力制御部１１０は、決定された態様のサムネイルを再生する。具体的には、出力制御部１１０は、サムネイルが画面に表示されるタイミングに合わせて当該サムネイルに係る音を音出力部１１４に出力させる。例えば、出力制御部１１０は、図１３の上段に示したように、スクロールによりサムネイル１０Ｇが画面に表示され始めた際に、サムネイル１０Ｇの映像の音の出力を音出力部１１４に開始させる。さらに、出力制御部１１０は、スクロールにより別のサムネイル１３Ｇが画面に表示され始めた際に、サムネイル１３Ｇに関連する音の出力を音出力部１１４に開始させる。ここで、上述したようにサムネイル１３Ｇに係る音の音量は、サムネイル１０Ｇに係る音よりも小さく決定されているため、図１３の下段に示したように、サムネイル１０Ｇに係る音声よりも小さくサムネイル１３Ｇに係る鐘の音が出力される。
【０１２０】
このように、本開示の一実施形態の第５の変形例によれば、サムネイルの態様は、サムネイルに係る音の態様を含む。このため、音の態様が視聴優先度に応じて制御されることにより、視聴が所望されると推定されるコンテンツについてユーザの注意を聴覚的に引きつけることができる。なお、コンテンツの視覚的な態様の制御と共に当該音の態様の制御がおこなわれてもよい。この場合、複数の感覚器が刺激されることにより、より確実にユーザの注意を引きつけることができる。
【０１２１】
＜２．本開示の一実施形態に係る情報処理装置のハードウェア構成＞
以上、本開示の各実施形態に係る情報処理装置１００について説明した。上述した情報処理装置１００の処理は、ソフトウェアと、以下に説明する情報処理装置１００のハードウェアとの協働により実現される。
【０１２２】
図１４は、本開示の一実施形態に係る情報処理装置１００のハードウェア構成を示した説明図である。図１４に示したように、情報処理装置１００は、プロセッサ１３２、メモリ１３４、ブリッジ１３６、バス１３８、インタフェース１４０、入力装置１４２、出力装置１４４、接続ポート１４６および通信装置１４８を備える。
【０１２３】
（プロセッサ）
プロセッサ１３２は、演算処理装置として機能し、各種プログラムと協働して情報処理装置１００内のサムネイル生成部１０６、操作検出部１０８および出力制御部１１０の機能を実現する。プロセッサ１３２は、制御回路を用いてメモリ１３４または他の記憶媒体に記憶されるプログラムを実行することにより、情報処理装置１００の様々な論理的機能を動作させる。例えば、プロセッサ１３２は、ＣＰＵ（Central  Processing  Unit）、ＧＰＵ（Graphics  Processing  Unit）、ＤＳＰ（Digital  Signal  Processor）またはＳｏＣ（System-on-a-Chip）であり得る。
【０１２４】
（メモリ）
メモリ１３４は、プロセッサ１３２が使用するプログラムまたは演算パラメタなどを記憶する。例えば、メモリ１３４は、ＲＡＭ（Random  Access  Memory）を含み、プロセッサ１３２の実行において使用するプログラムまたは実行において適宜変化するパラメタなどを一時記憶する。また、メモリ１３４は、ＲＯＭ（Read  Only  Memory）を含み、ＲＡＭおよびＲＯＭにより記憶部１０４の機能を実現する。なお、接続ポート１４６または通信装置１４８などを介して外部のストレージ装置がメモリ１３４の一部として利用されてもよい。
【０１２５】
なお、プロセッサ１３２およびメモリ１３４は、ＣＰＵバスなどから構成される内部バスにより相互に接続されている。
【０１２６】
（ブリッジおよびバス）
ブリッジ１３６は、バス間を接続する。具体的には、ブリッジ１３６は、プロセッサ１３２およびメモリ１３４が接続される内部バスと、インタフェース１４０と接続するバス１３８と、を接続する。
【０１２７】
（入力装置）
入力装置１４２は、ユーザが情報処理装置１００を操作しまたは情報処理装置１００へ情報を入力するために使用される。例えば、入力装置１４２は、ユーザが情報を入力するための入力手段、およびユーザによる入力に基づいて入力信号を生成し、プロセッサ１３２に出力する入力制御回路などから構成されている。なお、当該入力手段は、マウス、キーボード、タッチパネル、スイッチ、レバーまたはマイクロフォンなどであってもよい。情報処理装置１００のユーザは、入力装置１４２を操作することにより、情報処理装置１００に対して各種のデータを入力したり処理動作を指示したりすることができる。
【０１２８】
（出力装置）
出力装置１４４は、ユーザに情報を通知するために使用され、表示部１１２および音出力部１１４の機能を実現する。具体的には、出力装置１４４は、表示装置および音声出力装置を含む。例えば、出力装置１４４は、液晶ディスプレイ（ＬＣＤ：Liquid  Crystal  Display）装置、ＯＬＥＤ（Organic  Light  Emitting  Diode）装置、プロジェクタ、スピーカまたはヘッドフォンなどの装置または当該装置への出力を行うモジュールであってよい。
【０１２９】
（接続ポート）
接続ポート１４６は、機器を情報処理装置１００に直接接続するためのポートである。例えば、接続ポート１４６は、ＵＳＢ（Universal  Serial  Bus）ポート、ＩＥＥＥ１３９４ポート、ＳＣＳＩ（Small  Computer  System  Interface）ポートなどであり得る。また、接続ポート１４６は、ＲＳ−２３２Ｃポート、光オーディオ端子、ＨＤＭＩ（登録商標）（High-Definition  Multimedia  Interface）ポートなどであってもよい。接続ポート１４６に外部機器を接続することで、情報処理装置１００と当該外部機器との間でデータが交換されてもよい。
【０１３０】
（通信装置）
通信装置１４８は、情報処理装置１００と外部装置との間の通信を仲介し、通信部１０２の機能を実現する。具体的には、通信装置１４８は、無線通信方式に従って通信を実行する。例えば、通信装置１４８は、Bluetooth（登録商標）、ＮＦＣ（Near  Field  Communication）、ワイヤレスＵＳＢもしくはTransferJet（登録商標）などの近距離無線通信方式、ＷＣＤＭＡ（登録商標）（Wideband  Code  Division  Multiple  Access）、ＷｉＭＡＸ（登録商標）、ＬＴＥ（Long  Term  Evolution）もしくはＬＴＥ−Ａなどのセルラ通信方式、またはＷｉ−Ｆｉ（登録商標）などの無線ＬＡＮ（Local  Area  Network）方式といった、任意の無線通信方式に従って無線通信を実行してよい。また、通信装置１４８は、信号線通信または有線ＬＡＮ通信などの有線通信を実行してもよい。
【０１３１】
なお、情報処理装置１００は、図１４を用いて説明した構成の一部を有しなくてもよく、または追加的な構成を有していてもよい。また、図１４を用いて説明した構成の全体または一部を集積したワンチップの情報処理モジュールが提供されてもよい。
【０１３２】
＜３．むすび＞
以上、本開示の一実施形態によれば、視聴優先度に応じてサムネイルの視認性を制御することができる。従って、ユーザが視聴を所望する可能性が高いサムネイルおよび低いサムネイルの両方を網羅的に出力しながら、ユーザが視聴を所望するサムネイルの視認性を高めることにより、複数のコンテンツの全体の把握とユーザの視聴負担の低減とを両立することが可能となる。
【０１３３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３４】
例えば、上記実施形態では、決定された態様のサムネイルが生成されるとしたが、本技術はかかる例に限定されない。例えば、生成されたサムネイルが決定された態様で表示されるとしてもよい。
【０１３５】
また、上記実施形態で説明した視聴優先度情報は、視聴優先度情報として説明した各情報についての評価値または当該評価値の合計であってもよい。例えば、コンテンツ生成情報、コンテンツ品質情報およびコンテンツ内容情報のうちの少なくとも１つが数値化され、数値化により得られる値の合計に応じてサムネイルの態様が決定されてよい。
【０１３６】
また、上記実施形態では、コンテンツ品質情報は映像に関する品質である例を説明したが、コンテンツ品質情報は音に関する品質であってもよい。例えば、コンテンツの品質は、雑音量または信号雑音比などであってよい。
【０１３７】
また、上記実施形態では、サムネイル自体の態様が制御されるいくつかの例を説明したが、制御されるサムネイルの態様は、サムネイルの移動態様であってもよい。例えば、サムネイル生成部１０６は、視聴優先度情報に基づいてサムネイルのスクロールの速さを決定し、出力制御部１１０は、当該サムネイルを決定された速さでスクロールさせる。この場合、例えば、ユーザが視聴を所望すると推定されるサムネイルを相対的に遅くスクロールさせ、そうでないサムネイルを相対的に速くスクロールさせることにより、視聴を所望するサムネイルの視認時間を相対的に長くすることができる。従って、ユーザのニーズに即したサムネイルの再生が可能となる。
【０１３８】
また、上記実施形態では、表示オブジェクトがサムネイルである例について説明したが、表示オブジェクトは未加工のコンテンツであってもよい。例えば、出力制御部１１０は、未加工の静止画または動画をそのままグリッドに配置し、表示部１１２に表示させてよい。
【０１３９】
また、上記実施形態では、コンテンツ生成装置（カメラ）２００において生成されたコンテンツに基づいて表示オブジェクトの表示が行われる例を説明したが、表示オブジェクトとして表示されるコンテンツは、情報処理装置（スマートフォン）１００において生成されたコンテンツであってもよい。すなわち、上述した情報処理システムは情報処理装置１００のみを備えてもよい。
【０１４０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１４１】
また、上記の実施形態のフローチャートに示されたステップは、記載された順序に沿って時系列的に行われる処理はもちろん、必ずしも時系列的に処理されなくとも、並列的にまたは個別的に実行される処理をも含む。また時系列的に処理されるステップでも、場合によっては適宜順序を変更することが可能であることは言うまでもない。
【０１４２】
また、情報処理装置１００に内蔵されるハードウェアに上述した情報処理装置１００の各機能構成と同等の機能を発揮させるためのコンピュータプログラムも作成可能である。また、当該コンピュータプログラムが記憶された記憶媒体も提供される。
【０１４３】
なお、以下のような構成も本開示の技術的範囲に属する。
（１）
複数のコンテンツに基づく複数の表示オブジェクトの各々の態様を前記表示オブジェクトに係る前記コンテンツの視聴優先度に影響する視聴優先度情報に基づいて決定する決定部と、
複数の前記表示オブジェクトの各々を前記決定部により決定された態様でそれぞれ出力部に出力させる出力制御部と、
を備える情報処理装置。
（２）
前記態様は、前記表示オブジェクトのサイズ、形状または明るさを含む、
前記（１）に記載の情報処理装置。
（３）
前記態様は、前記表示オブジェクトに係る音の態様を含む、
前記（１）または（２）に記載の情報処理装置。
（４）
前記出力制御部は、前記表示オブジェクトをスクロールさせ、
前記表示オブジェクトは、スクロール方向に前記表示オブジェクトに係る前記コンテンツの属性情報に応じて並べられる、
前記（１）〜（３）のいずれか１項に記載の情報処理装置。
（５）
前記出力制御部は、前記表示オブジェクトに係る前記コンテンツの位置情報が、隣接する前記表示オブジェクト間で所定の範囲以上異なる場合、後から出力される前記表示オブジェクトに係る前記コンテンツの位置情報を表示部に表示させる、
前記（４）に記載の情報処理装置。
（６）
前記出力制御部は、前記表示オブジェクトに係る前記コンテンツの位置情報が表示される際に、前記後から出力される前記表示オブジェクトの態様を前記決定された態様と異なる態様に変化させる、
前記（５）に記載の情報処理装置。
（７）
前記出力制御部は、前記表示オブジェクトのスクロールに応じて前記表示オブジェクトの映像の表示範囲を変化させる、
前記（４）〜（６）のいずれか１項に記載の情報処理装置。
（８）
前記視聴優先度情報は、前記コンテンツの生成に関する情報を含む、
前記（１）〜（７）のいずれか１項に記載の情報処理装置。
（９）
前記コンテンツの生成に関する情報は、前記コンテンツの生成指示の主体に応じて異なる情報を含む、
前記（８）に記載の情報処理装置。
（１０）
前記コンテンツの生成に関する情報は、前記コンテンツを生成した機器の種類を含む、
前記（８）または（９）に記載の情報処理装置。
（１１）
前記視聴優先度情報は、前記コンテンツの品質情報を含む、
前記（１）〜（１０）のいずれか１項に記載の情報処理装置。
（１２）
前記コンテンツの品質情報は、前記コンテンツの乱れの程度が把握される情報を含む、
前記（１１）に記載の情報処理装置。
（１３）
前記コンテンツの乱れは、映像のぶれ、映像のぼけまたは映像の暗さを含む、
前記（１２）に記載の情報処理装置。
（１４）
前記視聴優先度情報は、前記コンテンツの内容を示す情報を含む、
前記（１）〜（１３）のいずれか１項に記載の情報処理装置。
（１５）
前記コンテンツの内容は、映像に映る物体の態様または映像の構図を含む、
前記（１４）に記載の情報処理装置。
（１６）
前記表示オブジェクトは、複数の前記コンテンツに基づいて生成される、
前記（１）〜（１５）のいずれか１項に記載の情報処理装置。
（１７）
前記複数の前記コンテンツは、類似する前記コンテンツを含む、
前記（１６）に記載の情報処理装置。
（１８）
前記複数の前記コンテンツに基づいて生成される前記表示オブジェクトは、前記複数の前記コンテンツの各々の出力が切り替えられる表示オブジェクトを含む、
前記（１６）または（１７）に記載の情報処理装置。
（１９）
プロセッサを用いて、
複数のコンテンツに基づく複数の表示オブジェクトの各々の態様を前記表示オブジェクトに係る前記コンテンツの視聴優先度に影響する視聴優先度情報に基づいて決定することと、
複数の前記表示オブジェクトの各々を決定された態様でそれぞれ出力部に出力させることと、
を含む情報処理方法。
（２０）
複数のコンテンツに基づく複数の表示オブジェクトの各々の態様を前記表示オブジェクトに係る前記コンテンツの視聴優先度に影響する視聴優先度情報に基づいて決定する決定機能と、
複数の前記表示オブジェクトの各々を前記決定機能により決定された態様でそれぞれ出力部に出力させる出力制御機能と、
をコンピュータに実現させるためのプログラム。
【符号の説明】
【０１４４】
１００    情報処理装置
１０２    通信部
１０４    記憶部
１０６    サムネイル生成部
１０８    操作検出部
１１０    出力制御部
１１２    表示部
１１４    音出力部
２００    コンテンツ生成装置
【図１】
0006640595.tif 000002
【図２】
0006640595.tif 000003
【図３】
0006640595.tif 000004
【図４】
0006640595.tif 000005
【図５】
0006640595.tif 000006
【図６】
0006640595.tif 000007
【図７】
0006640595.tif 000008
【図８】
0006640595.tif 000009
【図９】
0006640595.tif 000010
【図１０】
0006640595.tif 000011
【図１１】
0006640595.tif 000012
【図１２】
0006640595.tif 000013
【図１３】
0006640595.tif 000014
【図１４】
0006640595.tif 000015